(57)【特許請求の範囲】
【請求項１】
電動歯ブラシのためのアクチュエータであって、該アクチュエータは、
ハウジングであって、該ハウジングは、内面、及び前記ハウジングの中心を通って長軸方向に延在する主軸を有し、前記ハウジングの前記内面に沿って配置された、一連の１つを超える磁石を有する、ハウジングと、
偏心コアであって、該偏心コアは、
二次軸に沿って延在する磁化可能材料のスピンドル、並びに
前記スピンドルの周りに半径方向に配置された第１のポールアセンブリであって、前記スピンドルから少なくとも第１の平均距離で半径方向に延在する少なくとも１つのポール部材を含むポール部材の第１のセット、及びスピンドルから第２の平均距離で半径方向に延在する少なくとも１つのポール部材を含むポール部材の第２のセットを含み、前記第１の平均距離の長さは前記第２の平均距離の長さよりも大きく、そのため、前記スピンドルは、前記主軸から半径方向に、付勢方向の付勢力を受け、それにより、前記二次軸は前記主軸からオフセットしている、第１のポールアセンブリ
を含む、偏心コアと、
を含む、アクチュエータ。
【請求項２】
前記ポール部材の前記第１のセットは前記ポール部材の前記第２のセットよりも多くのポール部材を含む、請求項１に記載のアクチュエータ。
【請求項３】
前記ポール部材の前記第１のセットは３つの連続したポール部材を含み、前記ポール部材の前記第２のセットは２つの連続したポール部材を含む、請求項２に記載のアクチュエータ。
【請求項４】
前記第１のセットは、前記第１のセット内の残りの前記ポール部材よりも半径方向に遠く延在する少なくとも１つのポール部材をさらに含む、請求項１に記載のアクチュエータ。
【請求項５】
前記ハウジングに結合され、使用時に前記スピンドルに対して半径方向の力を呈する出力取り付けシャフトであって、前記付勢方向は当該半径方向と実質的に反対である、出力取り付けシャフト
をさらに含む、請求項１に記載のアクチュエータ。
【請求項６】
前記ハウジングに結合され、使用時に前記スピンドルに対して半径方向の力を呈する出力取り付けシャフトであって、前記付勢方向は当該半径方向と実質的に同じ方向にある、出力取り付けシャフト
をさらに含む、請求項１に記載のアクチュエータ。
【請求項７】
前記偏心コアは、
前記スピンドルの周りに半径方向に配置された第２のポールアセンブリであって、前記スピンドルから第３の平均距離で半径方向に延在する少なくとも１つのポール部材を含むポール部材の第３のセット、及び前記スピンドルから第４の平均距離で半径方向に延在する少なくとも１つのポール部材を含むポール部材の第４のセットを含み、前記第３の平均距離の長さは前記第４の平均距離の長さよりも大きい、第２のポールアセンブリ
をさらに含む、請求項１に記載のアクチュエータ。
【請求項８】
ハウジングであって、該ハウジングは、内面、及び前記ハウジングの中心を通って長軸方向に延在する主軸を有し、前記ハウジングの前記内面に沿って配置された、一連の１つを超える磁石を有する、ハウジングと、
前記ハウジング内に配置された軸受のセットであって、前記軸受は、主軸からオフセットした中心線を有する、軸受のセットと、
スピンドルであって、該スピンドルは、前記スピンドルの周りに半径方向に配置されたポールアセンブリを有し、前記スピンドルは、前記主軸からオフセットした二次軸に沿って前記軸受内に配置されている、スピンドルと、
を含む、電動歯ブラシのためのアクチュエータ。
【請求項９】
前記中心線は前記二次軸と同じである、請求項８に記載のアクチュエータ。
【請求項１０】
前記中心線は、前記二次軸と比べて異なるものである、請求項８に記載のアクチュエータ。
【請求項１１】
前記ポールアセンブリは実質的に同じ長さの複数のポール部材をさらに含む、請求項８に記載のアクチュエータ。
【請求項１２】
前記軸受は一般軸受である、請求項８に記載のアクチュエータ。
【請求項１３】
前記一般軸受はブッシング軸受である、請求項１２に記載のアクチュエータ。
【請求項１４】
ハウジングであって、該ハウジングは、内面、及び前記ハウジングの中心を通って長軸方向に延在する主軸を有し、前記ハウジングの前記内面に沿って配置された、一連の１つを超える磁石を有する、ハウジングと、
前記ハウジング内に配置されたスピンドルであって、該スピンドルは、前記スピンドルの周りに半径方向に配置されたポールアセンブリを有し、前記スピンドル及び前記ポールアセンブリは、前記ポールアセンブリと前記磁石との間に非対称磁石ギャップを形成するように構成され、構造化され、及び／又は位置付けられており、そのため、前記スピンドル及び前記ポールアセンブリは付勢力を受ける、スピンドルと、
を含む、電動歯ブラシのためのアクチュエータ。
【請求項１５】
請求項１乃至１４の何れか一項に記載のアクチュエータを有する、電動歯ブラシ。
【発明の詳細な説明】
【技術分野】
【０００１】
[0001]  本開示は概して、動力歯ブラシなどの、パーソナルケア器具のための改善された駆動システムに関し、より詳細には、がたつき緩和を伴うアクチュエータを含む駆動システムに関する。
【背景技術】
【０００２】
[0002]  電動歯ブラシなどの、電気パーソナルケアデバイスは成長中の市場であり、多数の製造業者によって生産されている。これらのパーソナルケアデバイスは、動作に違いがあり得るものの、ほとんどは、ブラシヘッドを往復軸方向及び／又は接線方向運動するよう回転させるように適合された電気モータを包含する。
【０００３】
[0003]  動作時、これらのパーソナルケアデバイス内の電気モータは、様々な、不所望の、意図せぬ、かつ／又は他の様態で有害な反作用力を受け得る。これらの力はパーソナルケアデバイスの有効性に影響を及ぼし得、デバイスとのユーザの経験に悪影響を及ぼし得る。例えば、電動歯ブラシは、毛がユーザの歯を横切って後方及び前方に往復するのに従い、ユーザの歯と電動歯ブラシのブラシヘッドの回転する毛との間の摩擦から生じる有害な反作用力を受け得る。別の例として、ブラシヘッドの質量中心が電動歯ブラシデバイスの回転軸と整列していない場合には、不所望の反作用力がブラシ上のモータの駆動運動から生じ得る。これらの有害な力は、電動歯ブラシ内に配置された電気モータに対する接線方向往復荷重として現れ得る。
【０００４】
[0004]  これらの力は、電気モータからの不所望の挙動を生じさせ得るため、有害と見なされる。例えば、ほとんどの電気モータは、回転するシャフト又はスピンドルを有する。シャフトは電気モータ内の軸受内に取り付けられている。電気モータの軸受とシャフトとの間にいくらか隙間が存在する場合には、これらの有害な力によって、シャフトは軸受の表面から離れ、その後、軸受にぶつかり、不快ながたつき及び無駄な摩耗をシャフト及び軸受上に生じさせ得るであろう。
【発明の概要】
【発明が解決しようとする課題】
【０００５】
[0005]  したがって、当技術分野においては、これらの有害な力のために、がたつくこと、又は無駄な摩耗を被ることのない電気モータが必要とされている。
【課題を解決するための手段】
【０００６】
[0006]  本開示は、パーソナルケア器具において用いられるアクチュエータに対する与圧を誘起するための発明的装置に関する。本明細書における様々な実施形態及び実装形態は、半径方向に延在するポール部材を有するスピンドルを備えるコアと、ハウジングの内部の周りに配置された磁石との間に非対称磁石ギャップを実装することによって、パーソナルケア器具内のアクチュエータに対する与圧を誘起するための装置に関する。他の実施形態は偏心コアに関する。偏心コアは、本明細書において、スピンドルから半径方向に延在する、変化する長さのポール部材を有するスピンドルとして定義される。さらなる実施形態は、ハウジングの中心線からオフセットした中心線を有する軸受内に、ポール部材を有するスピンドルを配置することによって、アクチュエータに対する機械的与圧を誘起するための装置に関する。
【０００７】
[0007]  本明細書における様々な実施形態及び実装形態を用いることで、与圧を誘起することによって、有害な反作用力から生じるアクチュエータのがたつきが大幅に改善され得る。
【０００８】
[0008]  アクチュエータを用いる電動歯ブラシデバイスの一例は、Ｋｏｎｉｎｋｌｉｊｋｅ  Ｐｈｉｌｉｐｓ  Ｅｌｅｃｔｒｏｎｉｃｓ  Ｎ．Ｖ．から入手可能なＳｏｎｉｃａｒｅ（登録商標）デバイスである。口腔ケアデバイスは、ユーザの歯の効果的な清掃を提供するための毛を有する、往復運動するブラシヘッドを有するアクチュエータに基づいている。口腔ケアデバイスは、とりわけ、アクチュエータ内のスピンドルがデバイス内の軸受から離れ、その後、軸受にぶつかる原因となり得るであろう、ユーザの歯からのブラシヘッドに対する反力から有害な反作用力を受ける。本明細書に開示されている実施形態では、コアと、ハウジングの内部の周りに配置された磁石との間の非対称磁石ギャップが、有害な反作用力を受けてコアが軸受から離れてしまわないよう、コアを軸受に押し込むために有効な与圧を誘起する。さらなる実施形態は、任意の有害な反作用力の効果を緩和するために有効な与圧を誘起する、偏心コア、スピンドルから半径方向に延在する、変化する長さのポール部材を有するスピンドルに関する。他の実施形態では、ハウジングの中心線からオフセットした中心線を有する軸受内に配置されたスピンドルを構成することで、任意の有害な反作用力の効果を緩和するために有効な与圧をさらに誘起する。
【０００９】
[0009]  概して、一態様では、パーソナルケア器具のためのアクチュエータが提供され、このアクチュエータは、ハウジングであって、このハウジングは、内面、及びハウジングの中心を通って長軸方向に延在する主軸を有し、ハウジングの内面に沿って配置された、一連の１つを超える磁石を有する、ハウジングと、偏心コアであって、この偏心コアは、二次軸に沿って延在する磁化可能材料のスピンドル、並びにスピンドルの周りに半径方向に配置された第１のポールアセンブリであって、スピンドルから少なくとも第１の平均距離で半径方向に延在する少なくとも１つのポール部材を含むポール部材の第１のセット、及びスピンドルから第２の平均距離で半径方向に延在する少なくとも１つのポール部材を含むポール部材の第２のセットを含み、第１の平均距離の長さは第２の平均距離の長さよりも大きく、そのため、スピンドルは、主軸から半径方向に、付勢方向の付勢力を受け、それにより、二次軸は主軸からオフセットしている、第１のポールアセンブリを含む、偏心コアと、を含む。
【００１０】
[0010]  一実施形態によれば、ポール部材の第１のセットはポール部材の第２のセットよりも多くのポール部材を含む。
【００１１】
[0011]  一実施形態によれば、ポール部材の第１のセットは３つの連続したポール部材を含み、ポール部材の第２のセットは２つの連続したポール部材を含む。
【００１２】
[0012]  一実施形態によれば、第１のセットは、第１のセット内の残りのポール部材よりも半径方向に遠く延在する少なくとも１つのポール部材をさらに含む。
【００１３】
[0013]  一実施形態によれば、アクチュエータは、ハウジングに結合され、使用時にスピンドルに対して半径方向の力を呈する出力取り付けシャフトであって、付勢方向は半径方向と実質的に反対である、出力取り付けシャフトをさらに含む。
【００１４】
[0014]  一実施形態によれば、アクチュエータは、ハウジングに結合され、使用時にスピンドルに対して半径方向の力を呈する出力取り付けシャフトであって、付勢方向は半径方向と実質的に同じ方向にある、出力取り付けシャフトをさらに含む。
【００１５】
[0015]  一実施形態によれば、付勢力は概ね約５ニュートンである。
【００１６】
[0016]  一実施形態によれば、偏心コアは、スピンドルの周りに半径方向に配置された第２のポールアセンブリであって、スピンドルから第３の平均距離で半径方向に延在する少なくとも１つのポール部材を含むポール部材の第３のセット、及びスピンドルから第４の平均距離で半径方向に延在する少なくとも１つのポール部材を含むポール部材の第４のセットを含み、第３の平均距離の長さは第４の平均距離の長さよりも大きい、第２のポールアセンブリをさらに含む。
【００１７】
[0017]  別の態様では、パーソナルケア器具のためのアクチュエータは、ハウジングであって、このハウジングは、内面、及びハウジングの中心を通って長軸方向に延在する主軸を有し、ハウジングの内面に沿って配置された、一連の１つを超える磁石を有する、ハウジングと、ハウジング内に配置された軸受のセットであって、軸受は、主軸からオフセットした中心線を有する、軸受のセットと、スピンドルであって、このスピンドルは、スピンドルの周りに半径方向に配置されたポールアセンブリを有し、スピンドルは、主軸からオフセットした二次軸に沿って軸受内に配置されている、スピンドルと、を含む。
【００１８】
[0018]  一実施形態によれば、中心線は二次軸と同じである。
【００１９】
[0019]  一実施形態によれば、中心線は、二次軸と比べて異なるものである。
【００２０】
[0020]  一実施形態によれば、ポールアセンブリは実質的に同じ長さの複数のポール部材をさらに含む。
【００２１】
[0021]  一実施形態によれば、軸受は一般軸受である。一実施形態によれば、一般軸受はブッシング軸受である。
【００２２】
[0022]  さらなる態様では、パーソナルケア器具のためのアクチュエータは、ハウジングであって、このハウジングは、内面、及びハウジングの中心を通って長軸方向に延在する主軸を有し、ハウジングの内面に沿って配置された、一連の１つを超える磁石を有する、ハウジングと、ハウジング内に配置されたスピンドルであって、このスピンドルは、スピンドルの周りに半径方向に配置されたポールアセンブリを有し、スピンドル及びポールアセンブリは、ポールアセンブリと磁石との間に非対称磁石ギャップを形成するように構成され、構造化され、及び／又は位置付けられており、そのため、スピンドル及びポールアセンブリは付勢力を受ける、スピンドルと、を含む。
【００２３】
[0023]  一実施形態によれば、アクチュエータは、２つ以下の軸受を有する軸受のセットをさらに含む。
【００２４】
[0024]  本発明のこれら及び他の態様は、以下において説明される実施形態（単数又は複数）から明白であり、それらを参照して明らかにされるであろう。
【００２５】
[0026]  図面において、同様の参照符号は概して、異なる図全体を通じて同じ部分を指す。また、図は必ずしも原寸に比例しておらず、その代わりに、概して、本発明の原理を示すことに重点が置かれている。
【図面の簡単な説明】
【００２６】
【図１】[0027]  パーソナルケア器具の斜視概略図である。
【図２】[0028]  一実施形態に係る、図１の「Ａ−Ａ」に沿って見たパーソナルケア器具の断面図である。
【図３】[0029]  一実施形態に係る、図１の「Ｂ−Ｂ」に沿って見たパーソナルケア器具の断面図である。
【図４】[0030]  別の実施形態に係る、図１の「Ａ−Ａ」に沿って見たパーソナルケア器具の断面図である。
【図５】[0031]  さらに別の実施形態に係る、図１の「Ａ−Ａ」に沿って見たパーソナルケア器具の断面図である。
【図６】[0032]  一実施形態に係るパーソナルケア器具の斜視概略図である。
【図７】[0033]  追加の実施形態に係る、図１の「Ａ−Ａ」に沿って見たパーソナルケア器具の断面図である。
【発明を実施するための形態】
【００２７】
[0035]  本開示は、パーソナルケア器具において用いられるアクチュエータに対する与圧を誘起する様々な実施形態を記載する。より一般的には、出願人は、スピンドル及び複数の半径方向に延在するポール部材で構成されたコアと、ハウジングの内部の周りに配置された磁石との間に非対称磁石ギャップを実装することによって、パーソナルケア器具内のアクチュエータに対する与圧を誘起することが有益になるであろうと認識し、理解した。例えば、ユーザの歯に対する毛からの有害な反作用力によって作り出される、電動歯ブラシにおけるがたつきは、このような与圧を誘起することによって大幅に改善され得る。出願人はまた、偏心コアを用いて、又はハウジングの中心線からオフセットした中心線を有する軸受内にコアを配置することによって、パーソナルケア器具内のアクチュエータに対する与圧を誘起することが有益になるであろうと認識した。これは、アクチュエータに、その軸受から離れるよう強制し、がたつきを誘起するのに十分な、アクチュエータに作用する任意の接線方向の有害な反作用力について言える。
【００２８】
[0036]  本明細書において開示されている諸実施形態は、非対称磁石ギャップによって誘起された与圧を有するパーソナルケア器具内のアクチュエータを提供する。他の実施形態は、偏心コアによって誘起された与圧を有する装置に関する。さらなる実施形態は、ハウジングの中心線からオフセットした中心線を有する軸受内にコアを配置することによって、アクチュエータに対する与圧を誘起するための装置に関する。
【００２９】
[0037]  本開示の諸実施形態の利用の特定の目標は、（誘起された与圧のゆえに）がたつき緩和を伴うアクチュエータが、任意のパーソナルケアデバイス内で用いられることが可能になることである。別の目標は、誘起された与圧の実装により、パーソナルケアデバイスの柄におけるがたつきを緩和することによってユーザのエクスペリエンスを改善することである。
【００３０】
[0038]  上述のことに鑑みて、様々な実施形態及び実装形態は、コアに作用する有害な力のために生じ得る任意のがたつきを緩和するために十分な、アクチュエータに対する与圧を誘起するように位置付けられ、構成され、及び／又は構造化されたコアを含むアクチュエータに関する。これらの実施形態では、コアは、有害な力に対抗するべくアクチュエータにさらに与圧を与えるために、同じ、又は異なる偏心を両方とも呈する、前部及び後部ポールアセンブリをさらに含んでもよい。
【００３１】
[0039]  図１を参照すると、一実施形態では、パーソナルケア器具１０であって、一般的にパーソナルケア器具１０の柄１９内に配置された、アクチュエータ１２を含む、パーソナルケア器具１０が提供される。パーソナルケア器具は、スピンドル２２を介して出力取り付けシャフト１４を駆動するように適合されている。出力取り付けシャフト１４は、ブラシヘッド、又は他の歯科用器具などの部品１６で終端してもよい。
【００３２】
[0040]  図２を参照すると、一実施形態において、図１から「Ａ−Ａ」に沿って切断されたアクチュエータ１２の内部の断面図が示されている。アクチュエータ１２は概して、ハウジング１８の中心を通って長軸方向に延在する（図３に示されるとおりの）主軸Ａ１を有するハウジング１８、及びハウジングの内面１８−１に沿って配置された磁石２０を含む。磁石２０は、ハウジング１８の内面１８−１の周りに交互に均等に配置された北極（Ｎ）磁石及び南極（Ｓ）磁石を含んでもよい。しかし、当業者は、磁石はまた、グループ化されたＮ−Ｓ磁石であってもよいことを認識するであろう。さらに、磁石２０は、代替的な諸実施形態では、内面の周りにばらばらの間隔を置いて配置されていてもよく、ＮとＳとの間で交互になっていなくてもよく、Ｎ−Ｎ、Ｓ−Ｓ、Ｎ−Ｎ−Ｎ等などの連続した対の形で配置されていてもよい。当業者は、任意の好適な強度の磁石２０を用いることができることを理解するであろう。例えば、特定の実施形態では、Ｎ４０〜Ｎ５０の磁石グレードが用いられてもよい。
【００３３】
[0041]  さらに、アクチュエータ１２は、スピンドル２２、及びスピンドル２２から半径方向に延在する、磁化可能材料の第１のポールアセンブリ２４−ｎを含む、コア２１を収容する。本開示の目的のために、「磁化可能材料」は、任意の強磁性、常磁性、又は超常磁性材料を意味すると定義される。一実施形態では、スピンドル２２は、接線方向の往復運動を行うように駆動される。しかし、当業者は、アクチュエータは、スピンドルを、軸方向運動を行うよう駆動するように構成されていてもよいことを認識するであろう。
【００３４】
[0042]  一実施形態によれば、スピンドル２２及びポールアセンブリ２４は、ポールアセンブリ２４と磁石２０との間に非対称磁石ギャップを形成するようにハウジング内に配置され、構造化され、構成されており、そのため、ポールアセンブリ２４の最も接近した部分上の磁石（単数又は複数）の追加的な力が、スピンドル及びポールアセンブリに対する与圧を誘起する。偏心コア２１、及びハウジングの中心線からオフセットした中心線を有するハウジング内に配置された軸受を含む、非対称磁石ギャップを作り出す他の非限定的実施形態が、以下において詳細に説明されている。
【００３５】
[0043]  一実施形態によれば、図２に示されるコア２１は、変化する長さのポール部材を有する第１のポールアセンブリ２４を含み、（上述されたように）有害な反作用力によって生じるがたつきを克服するのに十分な与圧を誘起するために有用である、偏心コア２１である。例示的な一実施形態では、第１のポールアセンブリ２４はポール部材の少なくとも２つのセット２５−１、２５−２に分割される。各セット２５−１、２５−２のポール部材は好ましくは、セット２５−１内のポール部材の平均長さがセット２５−２内のポール部材の平均長さよりも大きいように、（スピンドル２２の中心から、特定のポール部材の最も遠い半径方向縁部まで測定された）平均長さを有する。換言すれば、ポール部材２５−１の各々は好ましくは、セット２５−２内の各ポール部材の長さ（例えば、４．９８ｍｍ）よりも大きい長さ（例えば、５．０８ｍｍ）を有する（ただし、平均長さがより大きい限り、これは必須ではない）。
【００３６】
[0044]  例えば、図２に示されるように、偏心コア２１は５つのポール部材を有することができ、そのうち、セット２５−１内の３つの連続したポール部材、２４−１、２４−２、２４−３は、セット２５−２内の残りのポール部材、２４−４、２４−５の平均長さよりも大きい平均長さを有する。セット２５−１は、セット２５−２の平均長さよりも大きい平均長さを有するため、セット２５−１のポール部材はハウジングの内面１８−１上の磁石２０により接近している（セット２５−１内のポール部材間における．２２ｍｍの間隔対セット２５−２内のポール部材間における．３２ｍｍの間隔）。磁石２０に対するセット２５−１のポール部材のこのより接近した近接性は、セット２５−１のポール部材に、磁石２０へのより大きな磁気引力を受けさせることになり、セット２５−１のポール部材を含むスピンドルの側でコアを磁石へ引き寄せ、コアに「与圧を与え」、非対称磁石ギャップを作り出す。
【００３７】
[0045]  一実施形態では、セット２５−１内の３つのポール部材２４−１、２４−２、２４−３は各々、５．０８ｍｍの同じ長さを有してもよく、その一方で、残りの２つ２４−４、２４−５は４．９８ｍｍの半径を有してもよい。しかし、当業者は、他の長さが第１のポールアセンブリ２４のポール部材のために用いられてもよく、異なる磁石ギャップ及び異なる与圧を作り出すことを容易に認識するであろう。例えば、セット２５−１内のポール部材は５．０５ｍｍの長さを有してもよく、セット２５−２内のポール部材は４．９８ｍｍの長さを有してもよく、上述の実施形態よりも小さな与圧を生み出す。
【００３８】
[0046]  当業者は、偏心コア２１は第１のポールアセンブリ２４の任意の数のポール部材を有し得ることを認識するであろう。例えば、偏心コア２１は、一方が他方よりも長い、２つのポール部材のみを有してもよい。別の実施例では、偏心コア２１は、４つが他の３つよりも長い、７つのポール部材を有してもよい。代替的に、偏心コア２１は、３つが他の３つよりも長い、６つのポール部材を有してもよい。任意の偶数個のポール部材については、例示的な一実施形態では、より長い部材の、より短い部材に対する比は１対１であってもよい。任意の奇数個のポール部材については、例示的な一実施形態では、より長い部材の、より短い部材に対する比は、１対１よりも１つ大きくてもよい（例えば、３つのポール部材を有する場合には、２つが他の１つよりも長くなり、５つのポール部材を有する場合には、３つが他の２つよりも長くなり、７つのポール部材を有する場合には、４つが他の３つよりも長くなるであろう）。しかし、当業者は、ポールアセンブリ２４は、ポールのより長い部材の、より短い部材に対する任意の比を有し得ることを認識するであろう。例えば、７つのポール部材を有する場合には、本発明の範囲から逸脱することなく、３つがより長くてもよく、４つがより短くてもよい。
【００３９】
[0047]  さらに、当業者は、セット２５−１／２５−２内の各ポール部材は、他のポール部材と異なる長さを有してもよいことを認識するであろう。例えば、セット２５−１内において、中心ポール部材２４−２は、２５−１内の残りのポール部材よりも大きな長さを有してもよい。個々のポール部材の長さは、様々な与圧付与の必要に応じて選択することができる。
【００４０】
[0048]  図３を参照すると、一実施形態において、図１から「Ｂ−Ｂ」に沿って切断されたとおりのアクチュエータ１２の内部の断面図が示されている。本実施形態は、（図２に示されている）偏心コア２１によって生じた付勢の結果、主軸Ａ１から半径方向にオフセットした二次軸Ａ２を中心として、ハウジング１８内に配置されたときのスピンドル２２を示す。
【００４１】
[0049]  図１に関して上述されたように、パーソナルケア器具１０は、スピンドル２２が出力取り付けシャフト１４を駆動するように適合されていてもよい。出力取り付けシャフト１４は、ユーザの歯及び歯ぐきに当てて使用する際に、スピンドル２２に対する半径方向力を呈し得る。この力はスピンドル２２をハウジング１８に対して付勢し、「ブラシ荷重」を実効的に生み出し得る。使用中におけるこのブラシ荷重を考慮するために、半径方向力と実質的に同じ方向に与圧が誘起されるようにセット２５−１のポール部材を配向させることが有益になり得る。図４は、ブラシ荷重力及び与圧力の大きさ及び方向の両方をそれぞれ表現する、ベクトルＦ１及びＦ２を示す、一実施形態に係る、アクチュエータの断面を示す。ブラシヘッドが半径方向力Ｆ１を発生させる場合には、５つのポール部材の偏心コアの場合、セット２５−１は、Ｆ１に対して７２°の角度で与圧を発生させるよう、実質的に同じ方向に配向させることが必要になり得る。この構成によって、与圧力Ｆ２とブラシ荷重力Ｆ１とは合算され、Ｆ１とＦ２との間の方向に実効的により大きな力を形成することになる。Ｆ１、Ｆ２の力、及び任意の有害な反作用力の大きさを所与とすると、この構成が最適になり得る。同様に、Ｆ１とＦ２との間の角度が０°になり得るように、より大きな長さを有するポール部材が選択されてもよい。しかし、ブラシ荷重力Ｆ１及び与圧力Ｆ２の大きさを所与とすると、Ｆ１とＦ２が実質的に同じ方向にある場合には（本開示の目的のために、「実質的に同じ方向」とは、９０°未満の任意の角度を意味し得る）、偏心コアと軸受との間に過度の摩擦を生み出す場合がある。
【００４２】
[0050]  その結果、ブラシ荷重Ｆ１と実質的に反対の方向に与圧力Ｆ２’を生み出すポール部材を選択することが有益になり得る。本開示の目的のために、「〜と実質的に反対の方向」とは、９０°以上かつ２７０°以下として定義される。例えば、セット２５−１は、図５に示されるように、Ｆ１から離れる方に配向させてもよい。本実施形態では、Ｆ１とＦ２’とは１４４°の角度だけ分離している。Ｆ１、Ｆ２、及び反作用力の大きさを所与とすると、これは、モータのがたつきを防止するが、軸受２８と偏心コア２１との間に過度の摩擦を生み出す様態ではＦ１と合算されない与圧力を生じさせ得る。当業者は、Ｆ１とＦ２／Ｆ２’との間には、９０°及び１８０°を含む、任意の数の角度が選定され得ることを認識するであろう。角度は、限定するものではないが、磁石２０の数、ポール部材の数、ポール部材の長さ、磁石２０とポール部材との間のギャップ、与圧力Ｆ２／Ｆ２’の大きさ、ブラシ荷重力Ｆ１の大きさ、反作用力の大きさ、選定された角度に対して偏心コア２１と軸受との間に発生される摩擦などを含む、多数の因子に応じて選択されてもよい。
【００４３】
[0051]  図６に示されるように、一実施形態によれば、偏心コアは、スピンドルの異なる部分（すなわち、第１のポールアセンブリ２４からスピンドルに沿って或る長さだけ隔たった部分）から半径方向に延在する、ポール部材の第２のグループ２６をさらに含んでもよい。
【００４４】
[0052]  図７に示されるように、一実施形態によれば、ポール部材／ポールアセンブリの第２のグループ２６はポール部材の少なくとも２つのセット２７−１、２７−２に分割されてもよい。各セット２７−１（２６−１、２６−２、２６−３）、２７−２（２６−４及び２６−５）のポール部材は、セット２７−１の平均長さがセット２７−２の平均長さよりも大きいように、長さ（スピンドル２２の中心から、特定のポール部材の最も遠い半径方向縁部までの距離）のセットを有してもよい。換言すれば、セット２７−１のポール部材は各々、セット２７−２内の各ポール部材の平均長さよりも大きな平均長さを有することができる。例示的な一実施形態では、ポール部材の第２のグループ２６は、スピンドルにさらに与圧を与えるようにポール部材の第１のグループと同じ仕方で構成されていてもよい。別の言い方をすれば、セット２５−１及び２７−１並びにセット２５−２及び２７−２は、それぞれ、同じ方向に、かつ／又はスピンドル２２から同じ長さで延在してもよい。代替的な一実施形態では、第１のポールアセンブリ２４と異なる方向に与圧を発生させるため、又は第１のポールアセンブリ２４よりも強い、若しくは弱い与圧を発生させるために、ポール部材の第２のグループ２６は、第１のポールアセンブリ２４と異なる数のポール部材を有してもよいか、又は異なる長さを有するポール部材を有してもよい。
【００４５】
[0053]  図３を再び参照すると、別の実施形態によれば、スピンドル２２は軸受２８のセットを介してハウジング１８内に配置されていてもよい。軸受２８は、主軸Ａ１から機械的にオフセットした中心線Ａ３を有してもよく、それにより、スピンドルは、この機械的オフセットのゆえに、二次軸Ａ２に沿って位置付けられる。中心線Ａ３は軸受のコア直径の中心点を表現する。図３は、軸受の中心線Ａ３が二次軸Ａ２に重なっている様子を示しているが、当業者は、軸受２８とスピンドル２２との間のギャップのゆえに、二次軸Ａ２は軸受中心線Ａ３からオフセットしていてもよいことを容易に認識するであろう。スピンドル２２は、主軸からオフセットした軸に沿って配置されているため、スピンドル２２の一方の側に沿った第１のポールアセンブリ２４のポール部材は、他方よりも小さい磁石ギャップを有することになる。この機械的オフセットによって生じた、より小さい磁石ギャップを有する第１のポールアセンブリ２４のポール部材（本実施形態では、変化する長さを有してもよいか、又は有しなくてもよい）は、より大きな磁気引力を経験することになり、スピンドル２２に与圧を与え、非対称磁石ギャップを作り出す。
【００４６】
[0054]  軸受２８は、（限定するものではないが）ブッシング軸受、スリーブ軸受、玉軸受、又はころ軸受などの任意の一般軸受を含んでもよい。一実施形態では、軸受２８はブッシング軸受である。
【００４７】
[0055]  不定冠詞「ａ」及び「ａｎ」は、本明細書及びクレームで使用するとき、相反する明確な指示がない限り、「少なくとも１つ（ａｔ  ｌｅａｓｔ  ｏｎｅ）」を意味すると理解されるべきである。
【００４８】
[0056]  語句「及び／又は（ａｎｄ／ｏｒ）」は、本明細書及びクレームで使用するとき、そのように等位接続された要素の「どちらか、又は両方（ｅｉｔｈｅｒ  ｏｒ  ｂｏｔｈ）」、すなわち、いくつかの場合には接続的に存在し、他の場合には離接的に存在する要素を意味すると理解されるべきである。「及び／又は」を用いて列挙された複数の要素は、同じように、すなわち、そのように等位接続された要素のうちの「１つ以上（ｏｎｅ  ｏｒ  ｍｏｒｅ）」と解釈されるべきである。「及び／又は」節によって具体的に特定された要素以外の他の要素が、具体的に特定されたそれらの要素に関連するか、又は関連しないかにかかわらず、任意選択的に存在してもよい。
【００４９】
[0057]  本明細書及びクレームで使用するとき、「又は（ｏｒ）」は、以上において定義されたとおりの「及び／又は」と同じ意味を有すると理解されるべきである。例えば、一覧内の項目を分けている場合、「又は」又は「及び／又は」は、包括的である、すなわち、多数の要素、又は要素の一覧、並びに、任意選択的に、追加の列挙されていない項目のうちの、少なくとも１つの包含だけでなく、２つ以上も含むと解釈されるものとする。「〜のうちの１つのみ（ｏｎｌｙ  ｏｎｅ  ｏｆ）」又は「〜のうちのちょうど１つ（ｅｘａｃｔｌｙ  ｏｎｅ  ｏｆ）」、或いは、クレーム内で用いられる場合には、「〜からなる（ｃｏｎｓｉｓｔｉｎｇ  ｏｆ）」などの、相反する明確な指示がある用語のみが、多数の要素、又は要素の一覧のうちのちょうど１つの要素の包含に言及することになる。概して、用語「又は」は、本明細書で使用するとき、「〜のどちらか（ｅｉｔｈｅｒ）」、「〜のうちの１つ（ｏｎｅ  ｏｆ）」、「〜のうちの１つのみ（ｏｎｌｙ  ｏｎｅ  ｏｆ）」、又は「〜のうちのちょうど１つ（ｅｘａｃｔｌｙ  ｏｎｅ  ｏｆ）」などの、排他性の用語が先行する場合にのみ、排他的二者択一（すなわち「一方又は他方、ただし両方ではない（ｏｎｅ  ｏｒ  ｔｈｅ  ｏｔｈｅｒ  ｂｕｔ  ｎｏｔ  ｂｏｔｈ）」）を示すと解釈されるものとする。
【００５０】
[0058]  本明細書及びクレームで使用するとき、１つ以上の要素の一覧に言及する語句「少なくとも１つ」は、要素の一覧内の要素のうちの任意の１つ以上から選択された少なくとも１つの要素を意味するが、要素の一覧内で具体的に列挙された１つ１つの要素のうちの少なくとも１つを必ずしも含むわけではなく、要素の一覧内の要素のいかなる組み合わせをも排除しないと理解されるべきである。この定義はまた、語句「少なくとも１つ」が言及する要素の一覧内で具体的に特定された要素以外の要素が、具体的に特定されたそれらの要素に関連するか、又は関連しないかにかかわらず、任意選択的に存在し得ることも許容する。
【００５１】
[0059]  相反する明確な指示がない限り、１つを超えるステップ又は動作を含む本明細書においてクレームされている任意の方法において、方法のステップ又は動作の順序は、方法のステップ又は動作が挙げられている順序に必ずしも限定されないことも理解されたい。
【００５２】
[0060]  クレームにおいて、及び上述の明細書において、「〜を備える（ｃｏｍｐｒｉｓｉｎｇ）」、「〜を含む（ｉｎｃｌｕｄｉｎｇ）」、「〜を保有する（ｃａｒｒｙｉｎｇ）」、「〜を有する（ｈａｖｉｎｇ）」、「〜を包含する（ｃｏｎｔａｉｎｉｎｇ）」、「〜を伴う（ｉｎｖｏｌｖｉｎｇ）」、「〜を保持する（ｈｏｌｄｉｎｇ）」、「〜で構成される（ｃｏｍｐｏｓｅｄ  ｏｆ）」及び同様のものなどの全ての移行句は、オープンエンドのものである、すなわち、限定するものではないが、〜を含む（ｉｎｃｌｕｄｉｎｇ  ｂｕｔ  ｎｏｔ  ｌｉｍｉｔｅｄ  ｔｏ）を意味すると理解されるべきである。米国特許庁特許審査便覧、セクション２１１１．０３に記載されているように、移行句「〜からなる（ｃｏｎｓｉｓｔｉｎｇ  ｏｆ）」及び「〜から本質的になる（ｃｏｎｓｉｓｔｉｎｇ  ｅｓｓｅｎｔｉａｌｌｙ  ｏｆ）」のみがそれぞれ、クローズド又はセミクローズドの移行句とされる。
【００５３】
[0061]  いくつかの本発明の実施形態が本明細書において説明され、図示されたが、当業者は、本明細書において説明された機能を実行し、並びに／或いは結果、及び／又は利点の１つ以上を得るための種々の他の手段及び／又は構造を容易に構想するであろう。さらに、このような変形及び／又は変更の各々は、本明細書に記載されている本発明の実施形態の範囲内に入ると見なされる。より一般的には、当業者は、本明細書に記載されている全てのパラメータ、寸法、材料、及び構成は、例示であることを意図されており、実際のパラメータ、寸法、材料、及び／又は構成は、本発明の教示が用いられる特定の適用又は適用群に依存することになることを容易に理解するであろう。当業者は、本明細書に記載されている特定の発明の実施形態の多くの均等物を認識するか、又はせいぜい日常的な実験を用いるだけで確認することができるであろう。したがって、上述の実施形態は単なる例として提示されているにすぎないこと、並びに添付のクレーム及びそれらの均等物の範囲内において、本発明の実施形態は、具体的に説明され、クレームされているのと別の仕方で実施され得ることを理解されたい。本開示の発明の実施形態は、本明細書に記載されている各々の個々の特徴、システム、物品、材料、キット、及び／又は方法に関する。加えて、このような特徴、システム、物品、材料、キット、及び／又は方法のうちの２つ以上の任意の組み合わせが、このような特徴、システム、物品、材料、キット、及び／又は方法が相互に矛盾しない場合には、本開示の発明の範囲内に含まれる。
【図１】
0006651528.tif 000002
【図２】
0006651528.tif 000003
【図３】
0006651528.tif 000004
【図４】
0006651528.tif 000005
【図５】
0006651528.tif 000006
【図６】
0006651528.tif 000007
【図７】
0006651528.tif 000008